(57)【要約】【課題】冷風吹出口が空気吸込口よりも下側に配置されている場合に、冷風吹出口からの冷風が戻り通風口から第２保冷室に直接流入することを抑制することができる多温度帯冷凍システムを提供する。【解決手段】冷凍システム１０は、仕切部材２０によって第１保冷室１２２と第２保冷室１２４とに仕切られた保冷庫１２と、空気吸込口１４２および冷風吹出口１４４が第１保冷室１２２に設けられた冷凍機１４とを備える。仕切部材２０には、第１保冷室１２２から第２保冷室１２４へ空気を送るための送り通風口と、第２保冷室１２４から第１保冷室１２２へ空気を戻すための戻り通風口２４とが形成される。冷凍システム１０は、戻り通風口２４を覆うカバー１８をさらに備える。カバー１８の上面部１８１と下面部１８２と前面部１８３とのうち前面部１８３のみに、開口部３０が設けられる。開口部３０の上端は、戻り通風口２４の下端よりも低い位置にある。【選択図】図３
2019178822.tif 000002
【特許請求の範囲】
【請求項１】
２つの保冷室の保冷を行う多温度帯冷凍システムであって、
仕切部材（２０）によって第１保冷室（１２２）と第２保冷室（１２４）とに内部空間が仕切られた保冷庫（１２）と、
前記第１保冷室に設けられた空気吸込口（１４２）から前記第１保冷室の空気を吸い込み、前記第１保冷室に設けられた冷風吹出口（１４４）から前記第１保冷室に冷風を吹き出す冷凍機（１４）とを備え、
前記冷風吹出口は、前記空気吸込口よりも下側に配置されており、
前記仕切部材には、前記第１保冷室から前記第２保冷室へ空気を送るための送り通風口（２２）と、前記第２保冷室から前記第１保冷室へ空気を戻すための戻り通風口（２４）とが形成されており、
前記送り通風口を介して、前記第１保冷室から前記第２保冷室へ空気を送る送風機（１６）と、
前記第１保冷室に設けられ、前記戻り通風口を覆うカバー（１８）とをさらに備え、
前記カバーは、前記カバーのうち上側に位置する上面部（１８１）と、前記カバーのうち下側に位置する下面部（１８２）と、前記カバーのうち前記上面部と前記下面部との間に位置し、前記上面部側から前記下面部側へ延びている壁面部（１８３、１８４、１８５）とを有し、
前記上面部と前記下面部と前記壁面部とのうち前記壁面部のみに、１つまたは複数の開口部（３０、３０Ａ、３０Ｂ）が設けられており、
前記１つまたは複数の開口部は、前記壁面部のうち前記第１保冷室と前記第２保冷室の並び方向（Ｄ１）で前記戻り通風口と対向する対向部（１８３ａ）を除く部位にある、多温度帯冷凍システム。
【請求項２】
前記１つまたは複数の開口部の上端（３０２、３０２Ａ、３０２Ｂ）は、前記戻り通風口の下端（２４２）よりも低い位置にある、請求項１に記載の多温度帯冷凍システム。
【請求項３】
前記１つの開口部の開口面積または前記複数の開口部の総開口面積は、前記戻り通風口の開口面積と同じまたはそれよりも大きい、請求項１または２に記載の多温度帯冷凍システム。
【請求項４】
前記カバーは、前記壁面部の一部に設けられた、前記壁面部よりも前記第１保冷室側に突出する突出部（１８６）を有する、請求項１ないし３のいずれか１つに記載の多温度帯冷凍システム。
【請求項５】
前記壁面部の前記一部は、前記１つまたは前記複数の開口部の少なくとも１つの開口部を囲む開口縁部（１８７）である、請求項４に記載の多温度帯冷凍システム。
【発明の詳細な説明】
【技術分野】
【０００１】
本発明は、２つの保冷室の保冷を行う多温度帯冷凍システムに関するものである。
【背景技術】
【０００２】
特許文献１には、２つの保冷室の保冷を行う多温度帯冷凍システムが記載されている。この冷凍システムでは、保冷庫は、仕切部材によって第１保冷室と第２保冷室とに仕切られている。第１保冷室に冷凍機の冷風吹出口と空気吸込口とが設けられている。仕切部材には、送り通風口と戻り通風口とが形成されている。送り通風口に送風機が設けられている。
【０００３】
この冷凍システムでは、冷凍機は、空気吸込口から第１保冷室の空気を吸い込み、冷風吹出口から第１保冷室に冷風を吹き出す。送風機は、送り通風口を介して、第１保冷室から第２保冷室へ空気を送る。戻り通風口を介して、第２保冷室から第１保冷室へ空気が戻る。これにより、１つの冷凍機で、第１保冷室と第２保冷室とが異なる温度に制御される。
【先行技術文献】
【特許文献】
【０００４】
【特許文献１】特開２０１０−１２７５０７号公報
【発明の概要】
【発明が解決しようとする課題】
【０００５】
上記の冷凍システムでは、戻り通風口の第１保冷室側に、戻り通風口を覆うカバーが必要となる。このカバーは、冷風吹出口からの冷風が戻り通風口を介して第２保冷室に直接流入することを抑制するとともに、冷風吹出口からの冷風の吹き出し停止時および送風機の停止時に、戻り通風口を介しての第１保冷室から第２保冷室への冷気漏れを抑制するためのものである。このカバーには、第２保冷室から第１保冷室へ空気を戻すための開口部が設けられる。
【０００６】
本発明者は、この開口部が、カバーの上面部、下面部および他の壁面部のうちのどの場所に設けられることがよいかを検討した。他の壁面部は、上面部と下面部との間に位置し、上面部側から下面部側へ延びている壁面部である。
【０００７】
冷風吹出口が空気吸込口よりも上側に配置されている場合、開口部は、上面部と下面部と他の壁面部とのうち下面部のみに設けられることがよい。これによれば、他の壁面部によって、冷風吹出口からの冷風が戻り通風口から第２保冷室に流入することを抑制することができる。
【０００８】
さらに、これによれば、上面部および他の壁面部に開口部が設けられていない。冷風吹出口からの冷風の吹き出し停止および送風機の停止時では、第１保冷室の冷気は上から下に流れる。このため、上面部および他の壁面部によって、カバーの上方からの戻り通風口への冷気の流入を抑制することができる。よって、冷風吹出口からの冷風の吹き出し停止および送風機の停止時に、戻り通風口を介しての第１保冷室から第２保冷室への冷気漏れを抑制することができる。
【０００９】
しかし、冷風吹出口が空気吸込口よりも下側に配置されている場合、冷風吹出口から吹き出された冷風は、仕切部材に沿って下側から上側に向かって流れる。このため、開口部が下面部に設けられていると、冷風吹出口からの冷風が開口部に流入し、冷風吹出口からの冷風が戻り通風口から第２保冷室に直接流入してしまう。
【００１０】
本発明は上記点に鑑みて、冷風吹出口が空気吸込口よりも下側に配置されている場合に、冷風吹出口からの冷風が戻り通風口から第２保冷室に直接流入することを抑制することができ、かつ、冷風吹出口からの冷風の吹き出し停止および送風機の停止時に、戻り通風口を介しての第１保冷室から第２保冷室への冷気漏れを抑制することができる多温度帯冷凍システムを提供することを目的とする。
【課題を解決するための手段】
【００１１】
上記目的を達成するため、請求項１に記載の発明では、
２つの保冷室の保冷を行う多温度帯冷凍システムであって、
仕切部材（２０）によって第１保冷室（１２２）と第２保冷室（１２４）とに内部空間が仕切られた保冷庫（１２）と、
第１保冷室に設けられた空気吸込口（１４２）から第１保冷室の空気を吸い込み、第１保冷室に設けられた冷風吹出口（１４４）から第１保冷室に冷風を吹き出す冷凍機（１４）とを備え、
冷風吹出口は、空気吸込口よりも下側に配置されており、
仕切部材には、第１保冷室から第２保冷室へ空気を送るための送り通風口（２２）と、第２保冷室から第１保冷室へ空気を戻すための戻り通風口（２４）とが形成されており、
送り通風口を介して、第１保冷室から第２保冷室へ空気を送る送風機（１６）と、
第１保冷室に設けられ、戻り通風口を覆うカバー（１８）とをさらに備え、
カバーは、カバーのうち上側に位置する上面部（１８１）と、カバーのうち下側に位置する下面部（１８２）と、カバーのうち上面部と下面部との間に位置し、上面部側から下面部側へ延びている壁面部（１８３、１８４、１８５）とを有し、
上面部と下面部と壁面部とのうち壁面部のみに、１つまたは複数の開口部（３０、３０Ａ、３０Ｂ）が設けられており、
１つまたは複数の開口部は、壁面部のうち第１保冷室と第２保冷室の並び方向（Ｄ１）で戻り通風口と対向する対向部（１８３ａ）を除く部位にある。
【００１２】
これによれば、下面部に開口部が設けられていないので、下面部によって、カバーの下側からの開口部への冷風の流入を抑制することができる。よって、冷風吹出口が空気吸込口よりも下側に配置されている場合に、冷風吹出口からの冷風が戻り通風口から第２保冷室に直接流入することを抑制することができる。
【００１３】
さらに、これによれば、上面部および対向部に開口部が設けられていないので、上面部および対向部によって、カバーの上側からの戻り通風口への冷気の流入を抑制することができる。よって、冷風吹出口からの冷風の吹き出し停止および送風機の停止時に、戻り通風口を介しての第１保冷室から第２保冷室への冷気漏れを抑制することができる。
【００１４】
なお、各構成要素等に付された括弧付きの参照符号は、その構成要素等と後述する実施形態に記載の具体的な構成要素等との対応関係の一例を示すものである。
【図面の簡単な説明】
【００１５】
【図１】第１実施形態の冷凍システムの構成を示す斜視図である。
【図２】図１の冷凍システムの構成を示す斜視図である。
【図３】図１の冷凍システムの構成を示す断面図である。
【図４】図２中のカバーの斜視図である。
【図５】図２中のカバーおよび仕切部材の断面図である。
【図６】比較例１の冷凍システムの構成を示す断面図である。
【図７】第３実施形態のカバーの斜視図である。
【図８】第５実施形態のカバーの斜視図である。
【図９】第６実施形態のカバーおよび仕切部材の断面図である。
【図１０】第６実施形態のカバーの斜視図である。
【図１１】第７実施形態のカバーおよび仕切部材の断面図である。
【図１２】第７実施形態のカバーの斜視図である。
【発明を実施するための形態】
【００１６】
以下、本発明の実施形態について図に基づいて説明する。なお、以下の各実施形態相互において、互いに同一もしくは均等である部分には、同一符号を付して説明を行う。
【００１７】
（第１実施形態）
図１〜３に示すように、本実施形態の多温度帯冷凍システム１０（以下、冷凍システム１０と呼ぶ）は、保冷庫１２と、冷凍機１４と、送風機１６と、カバー１８とを備えている。図１では、送風機１６およびカバー１８の図示が省略されている。図２では、冷凍機１４の図示が省略されている。
【００１８】
保冷庫１２は、自動車、船舶、鉄道等の輸送機によって輸送される輸送用保冷庫である。保冷庫１２は、仕切部材２０によって第１保冷室１２２と第２保冷室１２４とに内部空間が仕切られている。仕切部材２０は、上下方向に延びている。第１保冷室１２２と第２保冷室１２４とは、保冷庫１２の長手方向Ｄ１に並んでいる。したがって、長手方向Ｄ１は、第１保冷室１２２と第２保冷室１２４との並び方向に相当する。
【００１９】
保冷庫１２の壁および仕切部材２０は、図示しないが、２枚の金属板と、それらの間に配置された断熱部材とによって構成されている。仕切部材２０は、長手方向Ｄ１で移動可能である。これにより、第１保冷室１２２と第２保冷室１２４とのそれぞれの広さが変更可能となっている。
【００２０】
図１に示すように、仕切部材２０は、ドア構造を有している。仕切部材２０は、観音開きのドアとして機能する。第２保冷室１２４を構成する壁のうち長手方向Ｄ１で仕切部材２０と対向する壁１２４ａは、ドア構造を有している。壁１２４ａは、観音開きのドアとして機能する。仕切部材２０および壁１２４ａがドアとして機能することで、第１保冷室１２２と第２保冷室１２４とに荷物等が配置可能となっている。
【００２１】
仕切部材２０には、送り通風口２２と、戻り通風口２４とが形成されている。送り通風口２２は、第１保冷室１２２から第２保冷室１２４へ空気を送るための通風口である。戻り通風口２４は、第２保冷室１２４から第１保冷室１２２へ空気を戻すための通風口である。
【００２２】
送り通風口２２および戻り通風口２４は、仕切部材２０の上下方向での中央の位置よりも上側の位置に配置されている。送り通風口２２と戻り通風口２４とは、横方向、すなわち、水平方向に並んでいる。送り通風口２２の少なくとも一部と、戻り通風口２４の少なくとも一部とは、上下方向で同じ位置にある。送り通風口２２と戻り通風口２４とは、上下で異なる位置にあってもよい。
【００２３】
図１に示すように、冷凍機１４は、第１保冷室１２２のうち仕切部材２０側とは反対側に設けられている。冷凍機１４は、長手方向Ｄ１で仕切部材２０と対向している。冷凍機１４は、冷凍サイクルを備えている。冷凍サイクルによって空気を冷却して冷風を形成する。
【００２４】
図３に示すように、冷凍機１４は、空気吸込口１４２と冷風吹出口１４４とを有する。空気吸込口１４２および冷風吹出口１４４は、第１保冷室１２２に面している。したがって、空気吸込口１４２および冷風吹出口１４４は、第１保冷室１２２に設けられている。冷凍機１４は、空気吸込口１４２から第１保冷室１２２の空気を吸い込み、冷風吹出口１４４から第１保冷室１２２に冷風を吹き出す。
【００２５】
冷風吹出口１４４は、空気吸込口１４２よりも下側に配置されている。より具体的には、冷風吹出口１４４は、冷凍機１４の上下方向での中央の位置よりも下側に配置されている。空気吸込口１４２は、冷凍機１４の上下方向での中央の位置よりも上側に配置されている。
【００２６】
図２に示すように、送風機１６は、送り通風口２２の第１保冷室１２２側に設けられている。送風機１６は、送り通風口２２を介して、第１保冷室１２２から第２保冷室１２４へ空気を送る。送風機１６は、ファン１６ａと、ファン１６ａを駆動させる図示しないモータとを有する。
【００２７】
図２、３に示すように、カバー１８は、第１保冷室１２２に設けられている。カバー１８は、戻り通風口２４を覆っている。このカバー１８は、冷風吹出口１４４からの冷風が戻り通風口２４を介して、第２保冷室１２４に直接流入することを抑制するとともに、冷風吹出口１４４からの冷風の吹き出し停止時および送風機１６の停止時に、戻り通風口２４を介しての第１保冷室１２２から第２保冷室１２４への冷気漏れを抑制するためのものである。
【００２８】
図３、４に示すように、カバー１８は、上面部１８１と、下面部１８２と、前面部１８３と、第１側面部１８４と、第２側面部１８５とを有する。図３には、上面部１８１と、下面部１８２と、前面部１８３とが示されている。
【００２９】
上面部１８１は、カバー１８のうち上側に位置する。下面部１８２は、カバー１８のうち下側に位置する。前面部１８３、第１側面部１８４および第２側面部１８５は、カバー１８のうち上面部１８１と下面部１８２との間に位置し、上面部１８１側から下面部１８２側へ延びている。本実施形態では、前面部１８３、第１側面部１８４および第２側面部１８５が、カバーのうち上面部と下面部との間に位置し、上面部側から下面部側へ延びている壁面部に相当する。
【００３０】
前面部１８３は、仕切部材２０に沿って上下方向に延びている。上面部１８１は、前面部１８３の上側に連なっている。下面部１８２は、前面部１８３の下側に連なっている。上面部１８１と下面部１８２とは、上下方向で対向している。上面部１８１および下面部１８２は、水平方向に延びている。
【００３１】
第１側面部１８４は、前面部１８３の左右方向の一方側に連なっている。第２側面部１８５は、前面部１８３の左右方向の他方側に連なっている。第１側面部１８４と第２側面部１８５とは、左右方向で対向している。第１側面部１８４および第２側面部１８５は、前面部１８３から仕切部材２０に向かって延びている。第１側面部１８４と前面部１８３とが連なる部分は、角部となっている。第２側面部１８５と前面部１８３とが連なる部分は、角部となっている。
【００３２】
そして、上面部１８１と、下面部１８２と、前面部１８３と、第１側面部１８４と、第２側面部１８５とのうち前面部１８３のみに開口部３０が設けられている。
【００３３】
図５に示すように、開口部３０の上端３０２は、戻り通風口２４の下端２４２よりも低い位置にある。上端３０２は、開口部３０の最上部である。戻り通風口２４の下端２４２は、戻り通風口２４の最下部である。
【００３４】
換言すると、開口部３０は、前面部１８３のうち対向部１８３ａよりも下側の部位にある。対向部１８３ａは、図４、５に示すように、前面部１８３のうち長手方向Ｄ１で戻り通風口２４と対向する部分である。このように、開口部３０は、前面部１８３のうち対向部１８３ａを除く部位にある。
【００３５】
本実施形態の冷凍システム１０では、冷凍機１４は、図３中の矢印Ｆ１のように、空気吸込口１４２から第１保冷室１２２の空気を吸い込み、図３中の矢印Ｆ２のように、冷風吹出口１４４から第１保冷室１２２に冷風を吹き出す。送風機１６は、図示しないが、送り通風口２２を介して、第１保冷室１２２から第２保冷室１２４へ空気を送る。戻り通風口２４を介して、第２保冷室１２４から第１保冷室１２２へ空気が戻る。これにより、１つの冷凍機１４で、第１保冷室１２２と第２保冷室１２４とが異なる温度に制御される。例えば、第１保冷室１２２は、０℃に保持される。第２保冷室１２４は、１０℃に保持される。
【００３６】
次に、本実施形態の冷凍システム１０と図６に示す比較例１の冷凍システムＪ１０とを対比する。比較例１の冷凍システムＪ１０では、カバー１８において、開口部３０が下面部１８２に設けられている点が、本実施形態の冷凍システム１０と相違する。比較例１の冷凍システムＪ１０の他の構成は、本実施形態の冷凍システム１０と同じである。
【００３７】
比較例１の冷凍システムＪ１０では、本実施形態の冷凍システム１０と同様に、冷風吹出口１４４が空気吸込口１４２よりも下側に配置されている。この場合、冷風吹出口１４４から吹き出された冷風は、図６中の矢印Ｆ２のように、仕切部材２０に沿って下側から上側に向かって流れる。このため、比較例１の冷凍システムＪ１０では、冷風吹出口１４４からの冷風がカバー１８の下側から開口部３０に流入し、冷風吹出口１４４からの冷風が戻り通風口２４から第２保冷室１２４に直接流入してしまう。冷風吹出口１４４からの冷風が第２保冷室１２４に直接流入すると、第２保冷室１２４を目的の温度で保持することができなくなってしまう。
【００３８】
これに対して、本実施形態の冷凍システム１０では、下面部１８２に開口部３０が設けられていない。このため、下面部１８２によって、カバー１８の下側からの開口部３０への冷風の流入を抑制することができる。よって、冷風吹出口１４４からの冷風が戻り通風口２４から第２保冷室１２４に直接流入することを抑制することができる。
【００３９】
さらに、本実施形態の冷凍システム１０では、上面部１８１に、開口部３０が設けられていない。さらに、開口部３０の上端３０２は、戻り通風口２４の下端２４２よりも低い位置にある。
【００４０】
ここで、冷風吹出口１４４からの冷風の吹き出し停止および送風機１６の停止時では、第１保冷室１２２内の冷気は、上から下に流れる。このため、上面部１８１と、前面部１８３のうち開口部３０よりも上側の部分と、第１側面部１８４と、第２側面部１８５とによって、カバー１８の上側からの戻り通風口２４への冷気の流入を抑制することができる。よって、冷風吹出口１４４からの冷風の吹き出し停止および送風機１６の停止時に、戻り通風口２４を介しての第１保冷室１２２から第２保冷室１２４への冷気漏れを抑制することができる。
【００４１】
（第２実施形態）
本実施形態では、図示しないが、第１実施形態において、開口部３０の開口面積は、戻り通風口２４の開口面積と同じまたはそれよりも大きくなっている。冷凍システム１０の他の構成は、第１実施形態と同じである。したがって、本実施形態によれば、第１実施形態と同じ効果が得られる。
【００４２】
また、本実施形態と異なり、開口部３０の開口面積が、戻り通風口２４の開口面積よりも小さいと、送風機１６の作動時に戻り通風口２４を通過する風の風量が低下する。これに対して、本実施形態によれば、送風機１６の作動時に戻り通風口２４を通過する風の風量低下を抑制することができる。
【００４３】
（第３実施形態）
本実施形態では、図７に示すように、カバー１８の第１側面部１８４に第１開口部３０Ａが設けられている。カバー１８の第２側面部１８５に第２開口部３０Ｂが設けられている。
【００４４】
第１開口部３０Ａおよび第２開口部３０Ｂは、前面部１８３に設けられていない。したがって、第１開口部３０Ａおよび第２開口部３０Ｂは、前面部１８３、第１側面部１８４および第２側面部１８５のうち対向部１８３ａを除く部位にある。
【００４５】
第１開口部３０Ａの上端３０２Ａおよび第２開口部３０Ｂの上端３０２Ｂは、戻り通風口２４の下端２４２よりも低い位置にある。換言すると、第１開口部３０Ａおよび第２開口部３０Ｂは、戻り通風口２４よりも低い位置にある。冷凍システム１０の他の構成は、第１実施形態と同じである。
【００４６】
本実施形態においても、第１実施形態と同様に、下面部１８２に開口部３０が設けられていない。このため、第１実施形態と同様に、冷風吹出口１４４からの冷風が戻り通風口２４から第２保冷室１２４に直接流入することを抑制することができる。
【００４７】
さらに、本実施形態によれば、上面部１８１と、前面部１８３と、第１側面部１８４のうち第１開口部３０Ａよりも上側の部分と、第２側面部１８５のうち第２開口部３０Ｂよりも上側の部分とによって、カバー１８の上側からの戻り通風口２４への冷気の流入を抑制することができる。よって、冷風吹出口１４４からの冷風の吹き出し停止および送風機１６の停止時に、戻り通風口２４を介しての第１保冷室１２２から第２保冷室１２４への冷気漏れを抑制することができる。
【００４８】
（第４実施形態）
本実施形態では、図示しないが、第３実施形態において、第１開口部３０Ａの開口面積と第２開口部３０Ｂの開口面積とを合わせた総開口面積は、戻り通風口２４の開口面積と同じまたはそれよりも大きくなっている。冷凍システム１０の他の構成は、第３実施形態と同じである。したがって、本実施形態によれば、第３実施形態と同じ効果が得られる。
【００４９】
さらに、本実施形態によれば、第２実施形態と同様に、送風機１６の作動時に戻り通風口２４を通過する風の風量低下を抑制することができる。
【００５０】
（第５実施形態）
本実施形態では、図８に示すように、第３実施形態と同様に、カバー１８の第１側面部１８４に第１開口部３０Ａが設けられている。カバー１８の第２側面部１８５に第２開口部３０Ｂが設けられている。
【００５１】
しかし、本実施形態では、第３実施形態と異なり、第１開口部３０Ａの上端３０２Ａおよび第２開口部３０Ｂの上端３０２Ｂは、戻り通風口２４の下端２４２よりも高い位置にある。本実施形態においても、第１開口部３０Ａおよび第２開口部３０Ｂは、前面部１８３に設けられていない。したがって、第１開口部３０Ａおよび第２開口部３０Ｂは、前面部１８３、第１側面部１８４および第２側面部１８５のうち対向部１８３ａを除く部位にある。冷凍システム１０の他の構成は、第１実施形態と同じである。
【００５２】
本実施形態においても、第１実施形態と同様に、下面部１８２に開口部３０が設けられていない。このため、第１実施形態と同様に、冷風吹出口１４４からの冷風が戻り通風口２４から第２保冷室１２４に直接流入することを抑制することができる。
【００５３】
さらに、本実施形態によれば、第１実施形態および第２実施形態よりも効果は低くなるが、冷風吹出口１４４からの冷風の吹き出し停止および送風機１６の停止時に、上面部１８１と前面部１８３とによって、カバー１８の上側からの戻り通風口２４への冷気の流入を抑制することができる。よって、本実施形態によっても、冷風吹出口１４４からの冷風の吹き出し停止および送風機１６の停止時に、戻り通風口２４を介しての第１保冷室１２２から第２保冷室１２４への冷気漏れを抑制することができる。
【００５４】
（第６実施形態）
本実施形態では、図９、１０に示すように、カバー１８は、前面部１８３の一部に設けられた、前面部１８３よりも第１保冷室１２２側に突出する突出部１８６を有する。突出部１８６は、前面部１８３のうち開口部３０を除く部分よりも、長手方向Ｄ１で仕切部材２０から離れた側に突出している。突出部１８６は、前面部１８３の一部として、前面部１８３のうち開口部３０を囲む開口縁部１８７の下側部分１８７ａに設けられている。
【００５５】
冷凍システム１０の他の構成は、第１実施形態と同じである。したがって、本実施形態においても、第１実施形態と同じ効果が得られる。さらに、本実施形態によれば、下記の効果が得られる。
【００５６】
本実施形態と異なり、カバー１８が突出部１８６を有していない場合を想定する。この場合、開口部３０の近くに物が配置されたときに、配置された物によって開口部３０が閉塞されることが考えられる。開口部３０が閉塞されると、冷凍機１４が冷風吹出口１４４から第１保冷室１２２に冷風を吹き出しているときに、送風機１６によって第１保冷室１２２から第２保冷室１２４へ空気を送ることができない。このため、第２保冷室１２４を目的の温度にすることができなくなってしまう。
【００５７】
これに対して、本実施形態によれば、カバー１８は突出部１８６を有する。これによれば、カバー１８の開口部３０の近くに物が配置されても、突出部１８６に物が当たることで、物と前面部１８３との間に必ず隙間が形成される。このため、物によって開口部３０が閉塞されるのを防ぐことができる。
【００５８】
本実施形態では、突出部１８６が設けられた部分は、前面部１８３のうち開口部３０を囲む開口縁部１８７である。これによれば、物によって開口部３０が閉塞されるのを防ぐ効果を高めることができる。
【００５９】
（第７実施形態）
本実施形態では、突出部１８６の設置場所が第６実施形態の突出部１８６と異なる。図１１、１２に示すように、突出部１８６は、前面部１８３の一部として、開口縁部１８７の上側部分１８７ｂに設けられている。冷凍システム１０の他の構成は、第１実施形態と同じである。
【００６０】
本実施形態においても、第６実施形態と同様に、カバー１８は突出部１８６を有する。突出部１８６が設けられた部分は、前面部１８３のうち開口部３０を囲む開口縁部１８７である。このため、第６実施形態と同じ効果が得られる。
【００６１】
（他の実施形態）
（１）上記の各実施形態では、カバー１８は、上面部１８１と下面部１８２との間に位置し、上面部１８１側から下面部１８２側へ延びている壁面部として、前面部１８３と、第１側面部１８４と、第２側面部１８５とを有していた。しかしながら、カバー１８は、上面部１８１と下面部１８２との間に位置する壁面部として、湾曲した１つの湾曲面部を有していてもよい。この湾曲面部は、全体で１つの湾曲面をなすように、前面部１８３、第１側面部１８４および第２側面部１８５を連続させたものである。この場合においても、上面部１８１と下面部１８２と湾曲面部とのうち湾曲面部のみに、開口部が設けられる。開口部は、湾曲面部のうち対向部を除く部位にあればよい。これによっても、第１実施形態と同様の効果が得られる。
【００６２】
（２）第１、第２、第６、第７実施形態では、前面部１８３に、１つの開口部３０が設けられていた。しかしながら、前面部１８３に、複数の開口部３０が設けられてもよい。この場合、複数の開口部３０は、上面部１８１と下面部１８２と前面部１８３とのうち前面部１８３のみに設けられる。複数の開口部３０の上端３０２は、戻り通風口２４の下端２４２よりも低い位置にある。これにより、第１実施形態と同様の効果が得られる。
【００６３】
また、複数の開口部３０の総開口面積は、戻り通風口２４の開口面積と同じまたはそれよりも大きくされる。これにより、第２実施形態と同様の効果が得られる。
【００６４】
また、第６、第７実施形態のように、カバー１８が突出部１８６を有する場合では、突出部１８６は、複数の開口部３０の少なくとも１つの開口部を囲む開口縁部に設けられることが好ましい。これにより、第６、第７実施形態と同様の効果が得られる。
【００６５】
（３）上記の各実施形態では、送風機１６は、送り通風口２２に、直接、設けられていた。しかしながら、第１保冷室１２２の空気を第２保冷室１２４に送るためのダクトが送り通風口２２に設けられている場合、このダクトに送風機１６が設けられてもよい。このように、送風機１６は、送り通風口２２を介して、第１保冷室１２２から第２保冷室１２４へ空気を送ることができるように、設けられていればよい。
【００６６】
（４）上記の各実施形態では、空気吸込口１４２および冷風吹出口１４４は、冷凍機１４自体に設けられていた。しかしながら、空気吸込口１４２および冷風吹出口１４４は、第１保冷室に設けられていれば、冷凍機１４から離れていてもよい。また、上記の各実施形態では、空気吸込口１４２および冷風吹出口１４４は、第１保冷室１２２のうち仕切部材２０側の反対側に設けられていたが、これに限定されない。
【００６７】
（５）送り通風口２２および戻り通風口２４の位置は、図２に示す位置に限られない。例えば、送り通風口２２と戻り通風口２４とが上下に並んでいてもよい。ただし、戻り通風口２４が送り通風口２２の下側に位置すると、冷風吹出口１４４からの冷風の下から上に向かう流れによって、戻り通風口２４から第１保冷室１２２に戻った空気が送り通風口２２から直ちに第２保冷室１２４に送られてしまう。このため、戻り通風口２４は、送り通風口２２よりも上側に位置することが好ましい。
【００６８】
（６）空気吸込口１４２および冷風吹出口１４４の位置は、図３に示す位置に限られない。冷風吹出口１４４が空気吸込口１４２よりも下側に配置されていれば、空気吸込口１４２および冷風吹出口１４４の位置は、図３とは異なる位置であってもよい。
【００６９】
（７）上記の各実施形態では、送り通風口２２にカバー１８が設けられていないが、送り通風口２２にカバー１８が設けられていてもよい。
【００７０】
（８）上記の各実施形態では、保冷庫１２は輸送用保冷庫であった。しかしながら、保冷庫１２は、定まった場所に置かれる定置用保冷庫であってもよい。
【００７１】
（９）上記の各実施形態では、仕切部材２０は、ドアになっていたが、ドアになっていなくてもよい。この場合、第１保冷室１２２の側壁にドアが設けられる。また、上記の各実施形態では、仕切部材２０は、長手方向Ｄ１で移動可能であったが、移動できなくてもよい。
【００７２】
（１０）本発明は上記した実施形態に限定されるものではなく、特許請求の範囲に記載した範囲内において適宜変更が可能であり、様々な変形例や均等範囲内の変形をも包含する。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００７３】
（まとめ）
上記各実施形態の一部または全部で示された第１の観点によれば、２つの保冷室の保冷を行う多温度帯冷凍システムは、仕切部材（２０）によって第１保冷室（１２２）と第２保冷室（１２４）とに内部空間が仕切られた保冷庫（１２）と、第１保冷室に設けられた空気吸込口（１４２）から第１保冷室の空気を吸い込み、第１保冷室に設けられた冷風吹出口（１４４）から第１保冷室に冷風を吹き出す冷凍機（１４）とを備える。冷風吹出口は、空気吸込口よりも下側に配置されている。仕切部材には、第１保冷室から第２保冷室へ空気を送るための送り通風口（２２）と、第２保冷室から第１保冷室へ空気を戻すための戻り通風口（２４）とが形成されている。この冷凍システムは、送風機（１６）と、第１保冷室に設けられ、戻り通風口を覆うカバー（１８）とをさらに備る。カバーは、カバーのうち上側に位置する上面部（１８１）と、カバーのうち下側に位置する下面部（１８２）と、カバーのうち上面部と下面部との間に位置し、上面部側から下面部側へ延びている壁面部（１８３、１８４、１８５）とを有する。上面部と下面部と壁面部とのうち壁面部のみに、１つまたは複数の開口部（３０、３０Ａ、３０Ｂ）が設けられている。１つまたは複数の開口部は、壁面部のうち第１保冷室と第２保冷室の並び方向（Ｄ１）で戻り通風口と対向する対向部（１８３ａ）を除く部位にある。
【００７４】
また、第２の観点によれば、１つまたは複数の開口部の上端（３０２、３０２Ａ、３０２Ｂ）は、戻り通風口の下端（２４２）よりも低い位置にある。これによれば、冷風吹出口からの冷風の吹き出し停止および送風機の停止時では、第１保冷室の冷気は上から下に流れるので、開口部から戻り通風口へ冷気が流れることを抑制できる。よって、ファン停止時に、戻り通風口を介しての第１保冷室から第２保冷室への冷気漏れを抑制することができる。
【００７５】
また、第３の観点によれば、１つの開口部の開口面積または複数の開口部の総開口面積は、戻り通風口の開口面積と同じまたはそれよりも大きい。１つの開口部の開口面積または複数の開口部の総開口面積が、戻り通風口の開口面積よりも小さいと、送風機の作動時に戻り通風口を通過する風の風量が低下する。これに対して、第３の観点によれば、送風機の作動時に戻り通風口を通過する風の風量低下を抑制することができる。
【００７６】
また、第４の観点によれば、カバーは、壁面部の一部に設けられた、壁面部よりも第１保冷室側に突出する突出部（１８６）を有する。これによれば、カバーの開口部の近くに物が配置されても、突出部に物が当たることで、物と壁面部との間に隙間が形成される。このため、物によって開口部が閉塞されるのを防ぐことができる。
【００７７】
また、第５の観点によれば、壁面部の一部は、１つまたは複数の開口部の少なくとも１つの開口部を囲む開口縁部（１８７）である。これによれば、物によって開口部が閉塞されるのを防ぐ効果を高めることができる。
【符号の説明】
【００７８】
１２    保冷庫
１２２  第１保冷庫
１２４  第２保冷庫
１４    冷凍機
１４２  空気吸込口
１４４  冷風吹出口
１６    送風機
１８    カバー
２０    仕切部材
２２    送り通風口
２４    戻り通風口
３０    開口部
【図１】
2019178822.tif 000003
【図２】
2019178822.tif 000004
【図３】
2019178822.tif 000005
【図４】
2019178822.tif 000006
【図５】
2019178822.tif 000007
【図６】
2019178822.tif 000008
【図７】
2019178822.tif 000009
【図８】
2019178822.tif 000010
【図９】
2019178822.tif 000011
【図１０】
2019178822.tif 000012
【図１１】
2019178822.tif 000013
【図１２】
2019178822.tif 000014